(57)【要約】  本発明は、ユーザ端末がとどまる基地局のセルの少なくとも１つの隣接するセルのＭＢＭＳサービス情報をユーザ端末に通知する方法と、そのユーザ機器がとどまるその基地局からその基地局のそのセルの少なくとも１つの隣接するセルのＭＢＭＳサービス情報を受信する方法と、対応するユーザ端末および基地局とを開示する。本発明では、システム情報ブロックＳＩＢで、その少なくとも１つの隣接するセルのマルチメディア放送マルチキャスト・サービス（ＭＢＭＳ）サービス情報が、そのユーザ端末に送信される。本発明によれば、現在のセルがＭＢＭＳサービス伝送を有するかどうかにかかわらず、ＵＥが、ＭＢＭＳサービスの継続性をよりよく達成するために、どの隣接するセルにそれの関心のあるＭＢＭＳサービスが位置するかを事前に知ることができるように、その現在のセルの少なくとも１つの隣接するセルのＭＢＭＳサービス情報（もしあれば）が、その現在のセルにとどまるそのＵＥに送信される。
2014529936.tif 000002
【特許請求の範囲】
【請求項１】
ユーザ端末がキャンプしている基地局のセルの少なくとも１つの隣接するセルについてのマルチメディア・ブロードキャスト・マルチキャスト・サービス（ＭＢＭＳ）サービス情報を前記ユーザ端末に通知する方法であって、
システム情報ブロック（ＳＩＢ）で、前記少なくとも１つの隣接するセルについての前記マルチメディア・ブロードキャスト・マルチキャスト・サービス（ＭＢＭＳ）サービス情報を前記ユーザ端末に送信するステップ
を含む、方法。
【請求項２】
前記システム情報ブロックが、前記少なくとも１つの隣接するセルについての前記マルチメディア・ブロードキャスト・マルチキャスト・サービス（ＭＢＭＳ）サービス情報を前記ユーザ端末に通知するために新たに定義されるシステム情報ブロックである、請求項１に記載の方法。
【請求項３】
前記少なくとも１つの隣接するセルについての前記マルチメディア・ブロードキャスト・マルチキャスト・サービス（ＭＢＭＳ）サービス情報が、
セル識別子と、
前記セル識別子によって識別される前記セルによってサポートされるＭＢＭＳサービスの識別子のリストとを備え、または、
前記少なくとも１つの隣接するセルについての前記マルチメディア・ブロードキャスト・マルチキャスト・サービス（ＭＢＭＳ）サービス情報が、
搬送周波数と、
前記搬送周波数でサポートされるＭＢＭＳサービスの識別子のリストとを備える、
請求項１に記載の方法。
【請求項４】
ダウンリンク制御情報（ＤＣＩ）フォーマット１Ｃ内のビットをすべてゼロに設定することによって、前記システム情報ブロックに含まれる前記少なくとも１つの隣接するセルについての前記マルチメディア・ブロードキャスト・マルチキャスト・サービス（ＭＢＭＳ）サービス情報の変更を前記ユーザ端末に指示するステップと、
前記少なくとも１つの隣接するセルについての前記マルチメディア・ブロードキャスト・マルチキャスト・サービス（ＭＢＭＳ）サービス情報の前記変更を前記ユーザ端末に通知するために、前記システム情報ブロックの更新されたエディションを前記ユーザ端末に送信するステップと
をさらに含む、請求項１に記載の方法。
【請求項５】
システム情報ブロック１３を介して、前記システム情報ブロックに含まれる前記少なくとも１つの隣接するセルについての前記マルチメディア・ブロードキャスト・マルチキャスト・サービス（ＭＢＭＳ）サービス情報の変更を通知するための機会および周期を前記ユーザ端末に通知するために使用される通知構成情報を前記ユーザ端末に送信するステップをさらに含む、請求項１に記載の方法。
【請求項６】
前記システム情報ブロックが、
前記システム情報ブロックに含まれる前記少なくとも１つの隣接するセルについての前記マルチメディア・ブロードキャスト・マルチキャスト・サービス（ＭＢＭＳ）サービス情報の変更を通知するための機会および周期を前記ユーザ端末に通知するために使用される通知構成情報
をさらに備える、請求項１に記載の方法。
【請求項７】
基地局であって、請求項１乃至６のいずれか１項に記載の方法の対応するステップを実行するためのモジュールを備える、前記基地局のセルの少なくとも１つの隣接するセルについてのマルチメディア・ブロードキャスト・マルチキャスト・サービス（ＭＢＭＳ）サービス情報を前記基地局にキャンプしているユーザ端末に通知するための基地局。
【請求項８】
基地局のセルの少なくとも１つの隣接するセルについてのマルチメディア・ブロードキャスト・マルチキャスト・サービス（ＭＢＭＳ）サービス情報をユーザ端末がキャンプしている前記基地局から受信する方法であって、
システム情報ブロック（ＳＩＢ）で、前記基地局から前記少なくとも１つの隣接するセルについての前記マルチメディア・ブロードキャスト・マルチキャスト・サービス（ＭＢＭＳ）サービス情報を受信するステップ
を含む、方法。
【請求項９】
前記システム情報ブロックが、前記少なくとも１つの隣接するセルについての前記マルチメディア・ブロードキャスト・マルチキャスト・サービス（ＭＢＭＳ）サービス情報を前記ユーザ端末に通知するために新たに定義されるシステム情報ブロックである、請求項８に記載の方法。
【請求項１０】
前記少なくとも１つの隣接するセルについての前記マルチメディア・ブロードキャスト・マルチキャスト・サービス（ＭＢＭＳ）サービス情報が、
セル識別子と、
前記セル識別子によって識別される前記セルによってサポートされるＭＢＭＳサービスの識別子のリストとを備え、または、
前記少なくとも１つの隣接するセルについての前記マルチメディア・ブロードキャスト・マルチキャスト・サービス（ＭＢＭＳ）サービス情報が、
搬送周波数と、
前記搬送周波数でサポートされるＭＢＭＳサービスの識別子のリストとを備える、
請求項８に記載の方法。
【請求項１１】
ダウンリンク制御情報（ＤＣＩ）フォーマット１Ｃ内のビットがすべてゼロに設定されているかどうかを判定することによって、前記システム情報ブロックに含まれる前記少なくとも１つの隣接するセルについての前記マルチメディア・ブロードキャスト・マルチキャスト・サービス（ＭＢＭＳ）サービス情報が変わるかどうかを判定するステップと、
前記少なくとも１つの隣接するセルについての前記マルチメディア・ブロードキャスト・マルチキャスト・サービス（ＭＢＭＳ）サービス情報の前記変更を前記ユーザ端末に通知するために、前記システム情報ブロックの更新されたエディションを前記基地局から受信するステップと
をさらに含む、請求項８に記載の方法。
【請求項１２】
システム情報ブロック１３を介して、前記システム情報ブロックに含まれる前記少なくとも１つの隣接するセルについての前記マルチメディア・ブロードキャスト・マルチキャスト・サービス（ＭＢＭＳ）サービス情報の変更を通知するための機会および周期を前記ユーザ端末に通知するために使用される通知構成情報を前記基地局から受信するステップ
をさらに含む、請求項８に記載の方法。
【請求項１３】
前記システム情報ブロックが、
前記システム情報ブロックに含まれる前記少なくとも１つの隣接するセルについての前記マルチメディア・ブロードキャスト・マルチキャスト・サービス（ＭＢＭＳ）サービス情報の変更を通知するための機会および周期を前記ユーザ端末に通知するために使用される通知構成情報
をさらに備える、請求項８に記載の方法。
【請求項１４】
ユーザ端末であって、請求項８乃至１３のいずれか１項に記載の方法の対応するステップを実行するためのモジュールを備える、基地局のセルの少なくとも１つの隣接するセルについてのマルチメディア・ブロードキャスト・マルチキャスト・サービス（ＭＢＭＳ）サービス情報を前記ユーザ端末がキャンプしている前記基地局から受信するためのユーザ端末。
【発明の詳細な説明】
【技術分野】
【０００１】
本発明は、通信の分野に関し、詳細には、ユーザ端末がキャンプしている基地局のセルの少なくとも１つの隣接するセルについてのマルチメディア・ブロードキャスト・マルチキャスト・サービス（ＭＢＭＳ）サービス情報をユーザ端末に通知する方法と、基地局のセルの少なくとも１つの隣接するセルについてのマルチメディア・ブロードキャスト・マルチキャスト・サービス（ＭＢＭＳ）サービス情報を基地局にキャンプしているユーザ端末に通知するための基地局と、ユーザ端末がキャンプしている基地局から基地局のセルの少なくとも１つの隣接するセルについてのマルチメディア・ブロードキャスト・マルチキャスト・サービス（ＭＢＭＳ）サービス情報を受信するためのユーザ端末と、ユーザ端末がキャンプしている基地局から基地局のセルの少なくとも１つの隣接するセルについてのマルチメディア・ブロードキャスト・マルチキャスト・サービス（ＭＢＭＳ）サービス情報を受信する方法とに関する。
【背景技術】
【０００２】
ユーザ端末ＵＥには、ＵＥがキャンプしている基地局のセルの少なくとも１つの隣接するセルについてのマルチメディア・ブロードキャスト・マルチキャスト・サービス（ＭＢＭＳ）サービス情報を事前に取得する必要性がある。たとえば、アイドル・モードにあるＵＥは、可能な限り早くそれの対象のＭＢＭＳサービスを取得するように、セルの再選択中に選択される可能性のもっとも高いセルとしてそれの興味のあるＭＢＭＳサービスを有するセルを自動的に取ることができる。
【０００３】
現在、ＭＢＭＳサービス伝送を有するセル内でしか、セルについてのＭＢＭＳサービス情報および関連する構成制御情報はブロードキャストされていない。すなわち、ＭＢＭＳサービス情報は、ＭＢＭＳサービス伝送のないセルでは送信されず、ＭＢＭＳサービス伝送を有するセルにおいて、セルについてのＭＢＭＳサービス情報および構成制御情報が送信されるにすぎない。
【発明の概要】
【発明が解決しようとする課題】
【０００４】
したがって、現在のセルがＭＢＭＳサービス伝送を有するか否かにかかわらず、ＭＢＭＳサービスを有するそのような隣接するセルが存在する場合に現在のセルの少なくとも１つの隣接するセルについてのＭＢＭＳサービス情報を送信するためのスキームが必要とされている。
【課題を解決するための手段】
【０００５】
本発明の第１の態様によれば、ユーザ端末がキャンプしている基地局のセルの少なくとも１つの隣接するセルについてのマルチメディア・ブロードキャスト・マルチキャスト・サービス（ＭＢＭＳ）サービス情報をユーザ端末に通知する方法が提供され、この方法は、システム情報ブロック（ＳＩＢ）で、少なくとも１つの隣接するセルについてのマルチメディア・ブロードキャスト・マルチキャスト・サービス（ＭＢＭＳ）サービス情報をユーザ端末に送信するステップを含む。
【０００６】
本発明の第２の態様によれば、基地局のセルの少なくとも１つの隣接するセルについてのマルチメディア・ブロードキャスト・マルチキャスト・サービス（ＭＢＭＳ）サービス情報を基地局にキャンプしているユーザ端末に通知するための基地局が提供され、この基地局は、システム情報ブロック（ＳＩＢ）で、少なくとも１つの隣接するセルについてのマルチメディア・ブロードキャスト・マルチキャスト・サービス（ＭＢＭＳ）サービス情報をユーザ端末に送信するように構成された、第１の送信モジュールを備える。
【０００７】
本発明の第３の態様によれば、ユーザ端末がキャンプしている基地局から基地局のセルの少なくとも１つの隣接するセルについてのマルチメディア・ブロードキャスト・マルチキャスト・サービス（ＭＢＭＳ）サービス情報を受信するためのユーザ端末が提供され、このユーザ端末は、システム情報ブロック（ＳＩＢ）で、少なくとも１つの隣接するセルについてのマルチメディア・ブロードキャスト・マルチキャスト・サービス（ＭＢＭＳ）サービス情報を基地局から受信するように構成された第１の受信モジュールを備える。
【０００８】
本発明の第４の態様によれば、基地局のセルの少なくとも１つの隣接するセルについてのマルチメディア・ブロードキャスト・マルチキャスト・サービス（ＭＢＭＳ）サービス情報をユーザ端末がキャンプしている基地局から受信する方法が提供され、この方法は、システム情報ブロック（ＳＩＢ）で、少なくとも１つの隣接するセルについてのマルチメディア・ブロードキャスト・マルチキャスト・サービス（ＭＢＭＳ）サービス情報を基地局から受信するステップを含む。
【０００９】
本発明によれば、現在のセルがＭＢＭＳサービス伝送を有するかどうかにかかわらず、ＵＥが、ＭＢＭＳサービスの継続性をよりよく達成するために、どの隣接するセル内にそれの対象のＭＢＭＳサービスが置かれているかを事前に知ることができるように、現在のセルの少なくとも１つの隣接するセルについてのＭＢＭＳサービス情報が、現在のセルにキャンプしているＵＥに送信される。
【００１０】
本発明の他の目的および効果は、図面を参照した以下の説明から、本発明がより十分に理解されるとき、より明らかになり、理解がより容易になろう。
【図面の簡単な説明】
【００１１】
【図１】本発明が実装され得る環境を概略的に示す図である。
【図２】本発明の一実施形態による、基地局のセルの少なくとも１つの隣接するセルについてのマルチメディア・ブロードキャスト・マルチキャスト・サービス（ＭＢＭＳ）サービス情報を基地局にキャンプしているＵＥと基地局との間で送信する方法の流れ図である。
【図３】本発明の一実施形態による、基地局のセルの少なくとも１つの隣接するセルについてのマルチメディア・ブロードキャスト・マルチキャスト・サービス（ＭＢＭＳ）サービス情報を基地局にキャンプしているユーザ端末に通知するための基地局を概略的に示すブロック図である。
【図４】本発明の一実施形態による、基地局のセルの少なくとも１つの隣接するセルについてのマルチメディア・ブロードキャスト・マルチキャスト・サービス（ＭＢＭＳ）サービス情報をユーザ端末がキャンプしている基地局から受信するためのユーザ端末を概略的に示すブロック図である。
【発明を実施するための形態】
【００１２】
すべての図面で、同参照番号は、同じ、同様のまたは対応する特徴または機能を示す。
【００１３】
本発明の基本的理念は、隣接するセルＭＢＭＳサービス情報を効率的に転送し、現在のシステム・アーキテクチャ設計原理を保持し、ＭＢＭＳをサポートしないユーザ端末への影響を少なくするように、ユーザ端末がキャンプしている基地局のセルの少なくとも１つの隣接するセルについてのマルチメディア・ブロードキャスト・マルチキャスト・サービス（ＭＢＭＳ）サービス情報をユーザ端末に通知する解決法を設計することである。
【００１４】
本発明の具体的な実施形態が、図を参照して詳細に説明される。
【００１５】
図１は、本発明が実装され得る環境を概略的に示す。
【００１６】
図１に示すように、環境１００は複数のセルを備え、エリア１の印のあるセルはＭＢＳＦＮ（マルチキャスト・ブロードキャスト単一周波数ネットワーク）エリア１に属し、エリア２の印のあるセルはＭＢＳＦＮエリア２に属し、エリア３の印のあるセルはＭＢＳＦＮエリア３に属し、残りのセルはいずれのＭＢＳＦＮエリアにも属さない。対応するＭＢＭＳサービス伝送が、それぞれ、ＭＢＳＦＮエリア１、ＭＢＳＦＮエリア２、およびＭＢＳＦＮエリア３内で実行される。
【００１７】
図１から分かるように、ＵＥ１１０がキャンプしているソース・セルは、いずれのＭＢＳＦＮエリアにも属せず、すなわち、ＵＥ１１０がキャンプしているソース・セルは、ＭＢＭＳサービス伝送を有さない。それの６つの隣接するセルで、隣接するセル１はいずれのＭＢＳＦＮエリアにも属さず、隣接するセル２はＭＢＳＦＮエリア１に属し、隣接するエリア３はＭＢＳＦＮエリア１に属し、隣接するセル４はＭＢＳＦＮエリア３に属し、隣接するセル５はＭＢＳＦＮエリア１およびＭＢＳＦＮエリア２に属し、隣接するセル６はＭＢＳＦＮエリア２に属す。さらに、一般性を失うことなく、ＭＢＳＦＮエリア１は周波数１で動作し、ＭＢＳＦＮエリア２は周波数１で動作し、ＭＢＳＦＮエリア３は周波数２で動作すると仮定される。
【００１８】
もちろん、ＵＥ１１０がキャンプしているソース・セルもまたＭＢＭＳサービス伝送を有し得ることが、当業者には理解されよう。さらに、ＵＥ１１０はＭＢＭＳをサポートするユーザ端末であり、ＭＢＭＳをサポートしないおよび図１に示されないユーザ端末もまた、ＵＥ１１０がキャンプしているソース・セルにキャンプしていることが仮定される。
【００１９】
一般性を失うことなく、本発明の説明において、基地局は、セルと１対１の関係にあり、すなわち、１つのセルは基地局を１つのみ有し、１つの基地局は１つのセルにのみ供する。さらに、一般性を失うことなく、本発明の説明において、基地局はｅＮＢ（ｅｖｏｌｖｅｄ  ＮｏｄｅＢ、進化型ノードＢ）であると仮定される。
【００２０】
隣接するセル間で、より具体的には、隣接するセルの対応する基地局間で、情報、たとえばＭＢＭＳサービス情報が、ワイヤードおよび／またはワイヤレスのバックホール・リンクを介して交換され得る。
【００２１】
本発明において、システム情報ブロック（ＳＩＢ）で、基地局は、そこにキャンプしているユーザ端末に基地局のセルの少なくとも１つの隣接するセルについてのマルチメディア・ブロードキャスト・マルチキャスト・サービス（ＭＢＭＳ）サービス情報を通知する。
【００２２】
本発明の一実施形態によれば、前述のシステム情報ブロックは、基地局が少なくとも１つの隣接するセルについてのマルチメディア・ブロードキャスト・マルチキャスト・サービス（ＭＢＭＳ）サービス情報をユーザ端末に通知するために新たに定義されるシステム情報ブロックである。システム情報ブロック（ＳＩＢ）は、ＳＩＢ１３に対して独立することができ、ＭＢＭＳをサポートするＵＥのみがそれの受信に関与することになる。したがって、この新しいタイプのＳＩＢはまた、ＭＢＭＳサービス伝送が存在しないセル内で送信され得る。一基準によれば、ＳＩＢ１３の更新通知は、値タグに関連する。ＳＩＢ１３が変わるとき、システム内のＵＥは、システム内のすべてのＵＥに影響を及ぼすことになる、システム情報変更指示方法を介するＳＩＢ１３変更が、ＭＢＭＳをサポートするＵＥのみではなく、ＭＢＭＳをサポートしないＵＥにも影響を及ぼすことを通知される。
【００２３】
本発明の一実施形態で、少なくとも１つの隣接するセルについてのマルチメディア・ブロードキャスト・マルチキャスト・サービス（ＭＢＭＳ）サービス情報は、セル識別子と、セル識別子によって識別されるセルによってサポートされるＭＢＭＳサービスの識別子のリストとを備える。
【００２４】
ＭＢＭＳサービス識別子は、ネットワーク内のＭＢＭＳサービスの唯一の識別子である。ＵＥまたは基地局は、ＭＢＭＳサービス識別子を介して異なるＭＢＭＳサービスを区別することができる。したがって、それの隣接するセルがそれの対象のＭＢＭＳサービスを有するかどうかを検査するＵＥに関して、ＭＢＭＳサービス識別子情報を使用すれば既に十分である。別の態様で、セルは、複数の隣接するセルを有することがあり、したがって、隣接するセル識別子情報が異なる隣接するセルを区別するために必要とされる。
【００２５】
この新たに定義されるＳＩＢは、ＳｙｓｔｅｍＩｎｆｏｒｍａｔｉｏｎＢｌｏｃｋＴｙｐｅＸと名付けられ得る。この新たに定義されるＳｙｓｔｅｍＩｎｆｏｒｍａｔｉｏｎＢｌｏｃｋＴｙｐｅＸの構造は、以下のコードによって示すことができる：
【００２６】
【数１】
2014529936.tif 000003
【００２７】
ここで、ｐｈｙｓＣｅｌｌＩｄは隣接するセルの識別子を示し、ｍｂｍｓ−ＳｅｒｖｉｃｅＩｄＬｉｓｔは、対応する識別子によって識別される隣接するセル内でサポートされるＭＢＭＳサービスの識別子のリストを示す。
【００２８】
本発明の別の実施形態によれば、少なくとも１つの隣接するセルについてのマルチメディア・ブロードキャスト・マルチキャスト・サービス（ＭＢＭＳ）サービス情報は、搬送周波数と、搬送周波数でサポートされるＭＢＭＳサービスの識別子のリストとを備える。
【００２９】
この場合、ユーザ端末は、各搬送周波数でのＭＢＭＳサービスの識別子のリストを通知される。したがって、ＵＥは、それによってサポートされる周波数でそれの興味のあるＭＢＭＳサービスが存在するかどうかを検査することができる。
【００３０】
その場合、この新たに定義されるＳｙｓｔｅｍＩｎｆｏｒｍａｔｉｏｎＢｌｏｃｋＴｙｐｅＸの構造は、以下のコードによって示すことができる：
【００３１】
【数２】
2014529936.tif 000004
【００３２】
ここで、ｃｅｌｌＦｒｅｑｕｅｃｎｙは隣接するセルの搬送周波数を示し、異なる隣接するセルは異なる周波数でまたは同じ周波数で動作することが可能であり、ｍｂｍｓ−ＳｅｒｖｉｃｅＩｄＬｉｓｔは対応する搬送周波数でサポートされるＭＢＭＳサービスの識別子のリストを示す。
【００３３】
この新たに定義されるＳｙｓｔｅｍＩｎｆｏｒｍａｔｉｏｎＢｌｏｃｋＴｙｐｅＸの伝送機構は、現在の他のタイプのＳＩＢの伝送機構と同じである。ＳｙｓｔｅｍＩｎｆｏｒｍａｔｉｏｎＢｌｏｃｋＴｙｐｅＸの伝送は、ＳＩＢ１によってスケジュールされる必要があり、ＭＢＭＳをサポートするＵＥは、それがＳｙｓｔｅｍＩｎｆｏｒｍａｔｉｏｎＢｌｏｃｋＴｙｐｅＸに興味があり、それを受信することを望む場合、ＳｙｓｔｅｍＩｎｆｏｒｍａｔｉｏｎＢｌｏｃｋＴｙｐｅＸをどこで見つけるかを知り得る。
【００３４】
基地局の少なくとも１つの隣接するセルについてのマルチメディア・ブロードキャスト・マルチキャスト・サービス（ＭＢＭＳ）サービス情報は、変化し得る、たとえば、対応する隣接するセルが、１つのＭＢＭＳサービスを増やすまたは１つのＭＢＭＳサービスをキャンセルする。
【００３５】
したがって、基地局は、それのユーザ端末（複数可）にＳｙｓｔｅｍＩｎｆｏｒｍａｔｉｏｎＢｌｏｃｋＴｙｐｅＸに含まれる少なくとも１つの隣接するセルについてのマルチメディア・ブロードキャスト・マルチキャスト・サービス（ＭＢＭＳ）サービス情報の変更を指示し、少なくとも１つの隣接するセルについてのマルチメディア・ブロードキャスト・マルチキャスト・サービス（ＭＢＭＳ）サービス情報の特定の変更をユーザ端末（複数可）に通知する必要がある。
【００３６】
新たに定義されたＳｙｓｔｅｍＩｎｆｏｒｍａｔｉｏｎＢｌｏｃｋＴｙｐｅＸの変更を可能にするために、具体的に、ＳｙｓｔｅｍＩｎｆｏｒｍａｔｉｏｎＢｌｏｃｋＴｙｐｅＸに含まれる少なくとも１つの隣接するセルについてのマルチメディア・ブロードキャスト・マルチキャスト・サービス（ＭＢＭＳ）サービス情報の変更は、ＭＢＭＳをサポートせず、新たに定義されたＳＩＢの変更を不必要に通知されないＵＥに影響を及ぼさず、本発明の一実施形態で、新たに定義されたＳＩＢの更新通知は値タグに関連せず、したがって、新たに定義されたＳＩＢの変更はＭＢＭＳをサポートするＵＥにのみ通知される。
【００３７】
本発明の一実施形態で、基地局は、ダウンリンク制御情報（ＤＣＩ）フォーマット１Ｃ内のビットをすべてゼロに設定することによって、ＳｙｓｔｅｍＩｎｆｏｒｍａｔｉｏｎＢｌｏｃｋＴｙｐｅＸに含まれる少なくとも１つの隣接するセルについてのマルチメディア・ブロードキャスト・マルチキャスト・サービス（ＭＢＭＳ）サービス情報の変更をユーザ端末に指示する。
【００３８】
現在、ＤＣＩフォーマット１Ｃは、基地局がＭＢＭＳ一地点対多地点制御チャネル（ＭＣＣＨ）メッセージの変更をＵＥに通知するために使用される。
【００３９】
Ｍ−ＲＮＴＩ（ＭＢＭＳ無線ネットワーク一時識別子）を有するＤＣＩフォーマット１Ｃは、どのＭＢＳＦＮエリアのＭＣＣＨメッセージが変わるかを通知し、対応するＭＣＣＨメッセージを更新することをＵＥに要求するために使用される。
【００４０】
現在、ＤＣＩ編成１Ｃは８ビットを有する。各ビットは、対応するＭＢＳＦＮエリアのＭＣＣＨメッセージが変わるかどうかを反映する。したがって、対応するＭＢＳＦＮエリアのＭＣＣＨメッセージが変わる場合、ＤＣＩ編成１Ｃ内の８ビット内の対応するビットが１にセットされ、たとえば、「０１００１０００」は、２つのＭＢＳＦＮエリアのＭＣＣＨメッセージが変わり、変更を受けるＭＢＳＦＮエリアの索引は第２および第５であることを指示する。
【００４１】
ＭＢＳＦＮエリアのどのＭＣＣＨメッセージも変わらない場合、そのような通知は生じないことになる。すなわち、ＭＣＣＨメッセージが変わる場合、すべてのこれらの８ビットがゼロ値である事例は現れないことになる。したがって、ＤＣＩフォーマット１Ｃ内のビットのすべてのゼロ値は、ＳｙｓｔｅｍＩｎｆｏｒｍａｔｉｏｎＢｌｏｃｋＴｙｐｅＸに含まれる少なくとも１つの隣接するセルについてのマルチメディア・ブロードキャスト・マルチキャスト・サービス（ＭＢＭＳ）サービス情報の変更をユーザ端末に指示するために使用され得る。
【００４２】
ＭＢＭＳをサポートするおよびＭＢＭＳサービス伝送を有するセルの基地局にキャンプしているＵＥに関して、それの基地局は、前述のＭＣＣＨメッセージ変更通知の機会（すなわち、時間）と周期を送信することができるので、基地局は、前述のＭＣＣＨメッセージ変更通知の機会および周期を知る。したがって、前述のＭＣＣＨメッセージ変更通知の機会が来るときには必ず、基地局はＤＣＩフォーマット１Ｃ内の８ビットがすべてゼロであるかどうかを判定する。ＤＣＩフォーマット１Ｃ内の８ビットがすべてゼロであると判定されるとき、基地局は、ＳｙｓｔｅｍＩｎｆｏｒｍａｔｉｏｎＢｌｏｃｋＴｙｐｅＸに含まれる少なくとも１つの隣接するセルについてのマルチメディア・ブロードキャスト・マルチキャスト・サービス（ＭＢＭＳ）サービス情報が変わると判定し、次のシステム情報修正周期で、変更されたＳｙｓｔｅｍＩｎｆｏｒｍａｔｉｏｎＢｌｏｃｋＴｙｐｅＸを読み取って、少なくとも１つの隣接するセルについての新しいマルチメディア・ブロードキャスト・マルチキャスト・サービス（ＭＢＭＳ）サービス情報を取得する。
【００４３】
ＭＢＭＳをサポートするおよびＭＢＭＳサービス伝送のないセルの基地局にキャンプしているＵＥに関して、原則として、任意の関連するＭＢＭＳサービス情報およびそれの関連する構成情報は、セル内で送信されず、したがって、ＵＥは前述のＭＣＣＨメッセージ変更通知の機会および周期を知らない。
【００４４】
したがって、ＭＢＭＳをサポートするおよびＭＢＭＳサービス伝送のないセルの基地局にキャンプしているＵＥにＳｙｓｔｅｍＩｎｆｏｒｍａｔｉｏｎＢｌｏｃｋＴｙｐｅＸに含まれる少なくとも１つの隣接するセルについてのマルチメディア・ブロードキャスト・マルチキャスト・サービス（ＭＢＭＳ）サービス情報の変更を通知するための機会および周期を通知するための機構が必要とされる。
【００４５】
本願の一実施形態によれば、基地局は、システム情報ブロック（ＳＩＢ）１３を介して通知構成情報をユーザ端末に送信することができ、通知構成情報は、ＳｙｓｔｅｍＩｎｆｏｒｍａｔｉｏｎＢｌｏｃｋＴｙｐｅＸに含まれる少なくとも１つの隣接するセルについてのマルチメディア・ブロードキャスト・マルチキャスト・サービス（ＭＢＭＳ）サービス情報の変更を通知するための機会および周期をユーザ端末に通知するために使用される。たとえば、ＳＩＢ１３内の「ＭＢＭＳ−ＮｏｔｉｆｉｃａｔｉｏｎＣｏｎｆｉｇ」情報要素および「ＭＢＳＦＮ−ＡｒｅａＩｎｆｏ」情報要素の「ＭＢＳＦＮ−ＡｒｅａＩｎｆｏ」内の「ｍｃｃｈ−ＭｏｄｉｆｉｃａｔｉｏｎＰｅｒｉｏｄ」が、ＳｙｓｔｅｍＩｎｆｏｒｍａｔｉｏｎＢｌｏｃｋＴｙｐｅＸに含まれる少なくとも１つの隣接するセルについてのマルチメディア・ブロードキャスト・マルチキャスト・サービス（ＭＢＭＳ）サービス情報の変更を通知するための機会および周期を定義するために使用される。ＳＩＢ１３内の他の情報は、デフォルト値を使用することができ、ＭＢＭＳサービス伝送を有さないセルについては意味をなさない。この実施形態は、ＭＢＭＳサービス伝送を有さないセルについて、ＳＩＢ１３はまた、ＳｙｓｔｅｍＩｎｆｏｒｍａｔｉｏｎＢｌｏｃｋＴｙｐｅＸに含まれる少なくとも１つの隣接するセルについてのマルチメディア・ブロードキャスト・マルチキャスト・サービス（ＭＢＭＳ）サービス情報の変更を通知するための機会および周期をユーザ端末に通知するために送信される必要があることを意味する。
【００４６】
本発明の別の実施形態によれば、通知構成情報はまた、ＳｙｓｔｅｍＩｎｆｏｒｍａｔｉｏｎＢｌｏｃｋＴｙｐｅＸに含まれてもよく、ＳｙｓｔｅｍＩｎｆｏｒｍａｔｉｏｎＢｌｏｃｋＴｙｐｅＸに含まれる少なくとも１つの隣接するセルについてのマルチメディア・ブロードキャスト・マルチキャスト・サービス（ＭＢＭＳ）サービス情報の変更を通知するための機会および周期をユーザ端末に通知するために使用される。
【００４７】
この実施形態は、現在のＭＢＭＳ構成情報伝送原理に完全に準拠し、すなわち、ＭＢＭＳサービス伝送を有するセルのみが、ＭＢＭＳ構成情報伝送、たとえば、ＳＩＢ１３およびＭＣＣＨメッセージの伝送を有し得る。
【００４８】
本発明の一実施形態で、ＳｙｓｔｅｍＩｎｆｏｒｍａｔｉｏｎＢｌｏｃｋＴｙｐｅＸに含まれる通知構成情報は、ＳＩＢ１３内の通知構成情報と同様である。
【００４９】
以下のコードは、本実施形態による通知構成情報を有するＳｙｓｔｅｍＩｎｆｏｒｍａｔｉｏｎＢｌｏｃｋＴｙｐｅＸの構造を示す：
【００５０】
【数３】
2014529936.tif 000005
【００５１】
ここで、ｎｏｔｉｆｉｃａｔｉｏｎＣｏｎｆｉｇは、変更の通知の機会を示し、ｍｃｃｈ−ＭｏｄｉｆｉｃａｔｉｏｎＰｅｒｉｏｄは、変更の通知の周期を示す。
【００５２】
本発明の別の実施形態で、ＳｙｓｔｅｍＩｎｆｏｒｍａｔｉｏｎＢｌｏｃｋＴｙｐｅＸに含まれる通知構成情報は、アイドル・モードのＵＥをページングするためにおよびシステム情報変更のために使用されるページング機会と同様であるが、新しいＲＮＴＩは、２つのページングを区別するために使用され得る。
【００５３】
以下のコードは、本実施形態による通知構成情報を有するＳｙｓｔｅｍＩｎｆｏｒｍａｔｉｏｎＢｌｏｃｋＴｙｐｅＸの構造を示す：
【００５４】
【数４】
2014529936.tif 000006
【００５５】
ここで、ｎｏｔｉｆｉｃａｔｉｏｎＣｙｃｌｅは、通知のサイクル長を定義し、ｎＣは、通知フレームおよび通知機会を導出するために使用される。
【００５６】
通知フレームおよび通知機会は、ＭＢＭＳ周波数層でＭＢＭＳサービスＩＤまたはＭＢＭＳサービスのグループの要求を満たすことができる。たとえば、ＵＥが１つの特定のサービスを受信することに関心がある場合、ＵＥは、特定のサービスの通知機会をリッスンするだけでよい。同様に、ＵＥが特定のＭＢＭＳ周波数に関心がある場合、ＵＥは、特定のＭＢＭＳ周波数の通知機会をリッスンするだけでよい。
【００５７】
通知構成情報を取得した後、ＭＢＭＳサービス伝送を有さない基地局のセルにキャンプしているＵＥは、前述のように、通知機会が来たときに、ＤＣＩフォーマット１Ｃ内の８ビットがすべてゼロであるかどうかを判定する。ＤＣＩフォーマット１Ｃ内の８ビットがすべてゼロであると判定されたとき、ＵＥは、ＳｙｓｔｅｍＩｎｆｏｒｍａｔｉｏｎＢｌｏｃｋＴｙｐｅＸに含まれる少なくとも１つの隣接するセルについてのマルチメディア・ブロードキャスト・マルチキャスト・サービス（ＭＢＭＳ）サービス情報が変わると判定し、次のシステム情報修正周期で、変更されたＳｙｓｔｅｍＩｎｆｏｒｍａｔｉｏｎＢｌｏｃｋＴｙｐｅＸを読み取って、少なくとも１つの隣接するセルについての新しいマルチメディア・ブロードキャスト・マルチキャスト・サービス（ＭＢＭＳ）サービス情報を取得する。
【００５８】
本発明の前述の実施形態によれば、ＳｙｓｔｅｍＩｎｆｏｒｍａｔｉｏｎＢｌｏｃｋＴｙｐｅＸに含まれる少なくとも１つの隣接するセルについてのマルチメディア・ブロードキャスト・マルチキャスト・サービス（ＭＢＭＳ）サービス情報の変更の通知および伝送は、非値タグ方式で実行され、したがって、ＭＢＭＳをサポートしないＵＥは影響を受けない。
【００５９】
図２は、本発明の一実施形態による、基地局のセルの隣接するセルについてのＭＢＭＳサービス情報をＵＥとＵＥがキャンプしている基地局との間で送信する方法の流れ図である。ＵＥは、たとえば、図１に示すようなＵＥ１１０である。
【００６０】
第１に、ステップＳ２０１で、基地局は、システム情報ブロック１３を介して、ＳｙｓｔｅｍＩｎｆｏｒｍａｔｉｏｎＢｌｏｃｋＴｙｐｅＸに含まれる少なくとも１つの隣接するセルについてのマルチメディア・ブロードキャスト・マルチキャスト・サービス（ＭＢＭＳ）サービス情報の変更を通知するための機会および周期をユーザ端末に通知するために使用される通知構成情報をユーザ端末に送信する。
【００６１】
もちろん、ＳｙｓｔｅｍＩｎｆｏｒｍａｔｉｏｎＢｌｏｃｋＴｙｐｅＸが前述の通知構成情報を含む場合に、ステップＳ２０１は、ＭＢＭＳサービス伝送を有さないセル内では必要とされないことが、当業者には理解されよう。
【００６２】
次いで、ステップＳ２０２で、ＳｙｓｔｅｍＩｎｆｏｒｍａｔｉｏｎＢｌｏｃｋＴｙｐｅＸで、基地局は、少なくとも１つの隣接するセルについてのマルチメディア・ブロードキャスト・マルチキャスト・サービス（ＭＢＭＳ）サービス情報をユーザ端末に送信する。
【００６３】
ステップＳ２０３で、ユーザ端末ＵＥは、ＳｙｓｔｅｍＩｎｆｏｒｍａｔｉｏｎＢｌｏｃｋＴｙｐｅＸを受信した後に、ＳｙｓｔｅｍＩｎｆｏｒｍａｔｉｏｎＢｌｏｃｋＴｙｐｅＸに含まれる少なくとも１つの隣接するセルについてのマルチメディア・ブロードキャスト・マルチキャスト・サービス（ＭＢＭＳ）サービス情報を読み取り、ＳｙｓｔｅｍＩｎｆｏｒｍａｔｉｏｎＢｌｏｃｋＴｙｐｅＸに含まれる少なくとも１つの隣接するセルについての読み取られたマルチメディア・ブロードキャスト・マルチキャスト・サービス（ＭＢＭＳ）サービス情報を記憶する。
【００６４】
その後、ステップＳ２０４で、基地局は、少なくとも１つの隣接するセルについてのマルチメディア・ブロードキャスト・マルチキャスト・サービス（ＭＢＭＳ）サービス情報の変更に関して学習する。したがって、ステップＳ２０５で、基地局は、マルチメディア・ブロードキャスト・マルチキャスト・サービス（ＭＢＭＳ）サービス情報の変更の通知時に、ダウンリンク制御情報（ＤＣＩ）フォーマット１Ｃ内のビットをすべてゼロに設定することによって、ＳｙｓｔｅｍＩｎｆｏｒｍａｔｉｏｎＢｌｏｃｋＴｙｐｅＸに含まれる少なくとも１つの隣接するセルについてのマルチメディア・ブロードキャスト・マルチキャスト・サービス（ＭＢＭＳ）サービス情報の変更をユーザ端末に指示する。
【００６５】
ステップＳ２０６で、ユーザ端末は、ダウンリンク制御情報（ＤＣＩ）フォーマット１Ｃ内のビットがすべてゼロに設定されたと判定し、それによって、ＳｙｓｔｅｍＩｎｆｏｒｍａｔｉｏｎＢｌｏｃｋＴｙｐｅＸに含まれる少なくとも１つの隣接するセルについてのマルチメディア・ブロードキャスト・マルチキャスト・サービス（ＭＢＭＳ）サービス情報が変わると判定する。
【００６６】
ステップＳ２０７で、次のシステム情報修正周期で、基地局は、少なくとも１つの隣接するセルについての更新されたマルチメディア・ブロードキャスト・マルチキャスト・サービス（ＭＢＭＳ）サービス情報をユーザ端末に送信するために、変更されたＳｙｓｔｅｍＩｎｆｏｒｍａｔｉｏｎＢｌｏｃｋＴｙｐｅＸをユーザ端末に送信する。
【００６７】
ステップＳ２０８で、更新されたＳｙｓｔｅｍＩｎｆｏｒｍａｔｉｏｎＢｌｏｃｋＴｙｐｅＸを受信した後、ユーザ端末は、ＳｙｓｔｅｍＩｎｆｏｒｍａｔｉｏｎＢｌｏｃｋＴｙｐｅＸに含まれる少なくとも１つの隣接するセルについての更新されたマルチメディア・ブロードキャスト・マルチキャスト・サービス（ＭＢＭＳ）サービス情報を読み取り、少なくとも１つの隣接するセルについての読み取られた更新されたマルチメディア・ブロードキャスト・マルチキャスト・サービス（ＭＢＭＳ）サービス情報を記憶する。
【００６８】
状況に応じて、ステップＳ２０４〜Ｓ２０８は、何回も実行することができる。
【００６９】
図３は、本発明の一実施形態による、基地局のセルの少なくとも１つの隣接するセルについてのマルチメディア・ブロードキャスト・マルチキャスト・サービス（ＭＢＭＳ）サービス情報を基地局にキャンプしているユーザ端末に通知するための基地局のブロック図を概略的に示す。
【００７０】
図３に示すように、基地局３００は、システム情報ブロック（ＳＩＢ）で、少なくとも１つの隣接するセルについてのマルチメディア・ブロードキャスト・マルチキャスト・サービス（ＭＢＭＳ）サービス情報をユーザ端末に送信するように構成された第１の送信モジュール３１０を備える。
【００７１】
本発明の一実施形態によれば、システム情報ブロックは、少なくとも１つの隣接するセルについてのマルチメディア・ブロードキャスト・マルチキャスト・サービス（ＭＢＭＳ）サービス情報をユーザ端末に通知するために新しく定義されたシステム情報ブロックである。
【００７２】
本発明の一実施形態によれば、少なくとも１つの隣接するセルについてのマルチメディア・ブロードキャスト・マルチキャスト・サービス（ＭＢＭＳ）サービス情報は、セル識別子と、セル識別子によって識別されるセルによってサポートされるＭＢＭＳサービスの識別子のリストとを備える。
【００７３】
本発明の一実施形態によれば、少なくとも１つの隣接するセルについてのマルチメディア・ブロードキャスト・マルチキャスト・サービス（ＭＢＭＳ）サービス情報は、搬送周波数と、搬送周波数でサポートされるＭＢＭＳサービスの識別子のリストとを備える。
【００７４】
本発明の一実施形態によれば、基地局３００は、ダウンリンク制御情報（ＤＣＩ）フォーマット１Ｃ内のビットをすべてゼロに設定することによってシステム情報ブロックに含まれる少なくとも１つの隣接するセルについてのマルチメディア・ブロードキャスト・マルチキャスト・サービス（ＭＢＭＳ）サービス情報の変更をユーザ端末に指示するように構成された、指示モジュール３２０を備える。
【００７５】
本発明の一実施形態によれば、基地局３００は、少なくとも１つの隣接するセルについてのマルチメディア・ブロードキャスト・マルチキャスト・サービス（ＭＢＭＳ）サービス情報の変更をユーザ端末に通知するために、システム情報ブロックの更新されたエディションをユーザ端末に送信するように構成された、第２の送信モジュール３３０を備える。
【００７６】
本発明の一実施形態によれば、基地局３００は、システム情報ブロックに含まれる少なくとも１つの隣接するセルについてのマルチメディア・ブロードキャスト・マルチキャスト・サービス（ＭＢＭＳ）サービス情報の変更を通知するための機会および周期をユーザ端末に通知するために使用される通知構成情報を、システム情報ブロック１３を介してユーザ端末に送信するように構成された、第３の送信モジュール３４０を備える。
【００７７】
本発明の一実施形態によれば、システム情報ブロックは、システム情報ブロックに含まれる少なくとも１つの隣接するセルについてのマルチメディア・ブロードキャスト・マルチキャスト・サービス（ＭＢＭＳ）サービス情報の変更を通知するための機会および周期をユーザ端末に通知するために使用される通知構成情報をさらに備える。
【００７８】
図４は、本発明の一実施形態による、基地局のセルの少なくとも１つの隣接するセルについてのマルチメディア・ブロードキャスト・マルチキャスト・サービス（ＭＢＭＳ）サービス情報をユーザ端末がキャンプしている基地局から受信するためのユーザ端末のブロック図を概略的に示す。
【００７９】
図４に示すように、ユーザ端末４００は、システム情報ブロック（ＳＩＢ）で、少なくとも１つの隣接するセルについてのマルチメディア・ブロードキャスト・マルチキャスト・サービス（ＭＢＭＳ）サービス情報を基地局から受信するように構成された、第１の受信モジュール４１０を備える。
【００８０】
本発明の一実施形態によれば、システム情報ブロックは、少なくとも１つの隣接するセルについてのマルチメディア・ブロードキャスト・マルチキャスト・サービス（ＭＢＭＳ）サービス情報をユーザ端末に通知するために新たに定義されるシステム情報ブロックである。
【００８１】
本発明の一実施形態によれば、少なくとも１つの隣接するセルについてのマルチメディア・ブロードキャスト・マルチキャスト・サービス（ＭＢＭＳ）サービス情報は、セル識別子と、セル識別子によって識別されるセルによってサポートされるＭＢＭＳサービスの識別子のリストとを備える。
【００８２】
本発明の一実施形態によれば、少なくとも１つの隣接するセルについてのマルチメディア・ブロードキャスト・マルチキャスト・サービス（ＭＢＭＳ）サービス情報は、搬送周波数と、搬送周波数でサポートされるＭＢＭＳサービスの識別子のリストとを備える。
【００８３】
本発明の一実施形態によれば、ユーザ端末４００は、ダウンリンク制御情報（ＤＣＩ）フォーマット１Ｃ内のビットがすべてゼロに設定されているかどうかを判定することによって、システム情報ブロックに含まれる少なくとも１つの隣接するセルについてのマルチメディア・ブロードキャスト・マルチキャスト・サービス（ＭＢＭＳ）サービス情報が変わるかどうかを判定するように構成された、判定モジュール４２０を備える。
【００８４】
本発明の一実施形態によれば、ユーザ端末４００は、システム情報ブロックの更新されたエディションを基地局から受信して、少なくとも１つの隣接するセルについてのマルチメディア・ブロードキャスト・マルチキャスト・サービス（ＭＢＭＳ）サービス情報の変更をユーザ端末に通知するように構成された、第２の受信モジュール４３０を備える。
【００８５】
本発明の一実施形態によれば、ユーザ端末４００は、システム情報ブロックに含まれる少なくとも１つの隣接するセルについてのマルチメディア・ブロードキャスト・マルチキャスト・サービス（ＭＢＭＳ）サービス情報の変更を通知するための機会および周期をユーザ端末に通知するために使用される通知構成情報を、システム情報ブロック１３を介して基地局から受信するように構成された、第３の受信モジュール４４０を備える。
【００８６】
本発明の一実施形態によれば、システム情報ブロックは、システム情報ブロックに含まれる少なくとも１つの隣接するセルについてのマルチメディア・ブロードキャスト・マルチキャスト・サービス（ＭＢＭＳ）サービス情報の変更を通知するための機会および周期をユーザ端末に通知するために使用される通知構成情報をさらに備える。
【００８７】
本発明をさらに分かりやすくするために、前述の説明は、当業者に知られていて、本発明の実装のために必須であり得るいくつかのより具体的な技術的詳細を省略していることに留意されたい。
【００８８】
本発明は前述のステップに限定されず、本発明はさらに、前述のステップの組合せ、または、それらの順番の交換などを含むことが、当業者にはさらに理解されよう。本発明の最終的な範囲は、添付の特許請求の範囲によって定義される。
【００８９】
したがって、好ましい実施形態の選択および記載は、本発明の原理および実際の適用例をよりよく説明することを目的とし、本発明の趣旨を逸脱することなしにそれを当業者が理解することを可能にすることを目的とし、すべての修正形態および変更形態は、添付の特許請求の範囲によって限定されるものとして、本発明の保護範囲内にある。
【図１】
2014529936.tif 000007
【図２】
2014529936.tif 000008
【図３】
2014529936.tif 000009
【図４】
2014529936.tif 000010
【国際調査報告】
2014529936.tif 000011
2014529936.tif 000012
2014529936.tif 000013